(57)【要約】【課題】保護袋の四隅の外縁がカード類の円弧状の四隅の外縁に沿っており、且つ、保護袋内の四隅の内縁とカード類の円弧状の四隅の外縁とがフィットするカード類用保護袋を提供する。【解決手段】同形同大の矩形状の２枚のフィルム１がずれることなく重ね合わされ、一辺に開口部４が形成されるように残りの３辺がシールされているカード類用保護袋Ａであって、四隅が円弧状になっており、開口部４と対峙する底辺側の２つの底辺隅部５ａ，５ｂが形状に沿ってシールされている。【選択図】図１
0003193045.tif 000002
【実用新案登録請求の範囲】
【請求項１】
同形同大の矩形状の２枚のフィルムがずれることなく重ね合わされ、一辺に開口部が形成されるように残りの３辺がシールされているカード類用保護袋であって、
四隅が円弧状になっており、前記開口部と対峙する底辺側の２つの底辺隅部が形状に沿ってシールされている
ことを特徴とするカード類用保護袋。
【請求項２】
前記底辺隅部は、熱溶着された後に円弧状に切断されてなる
ことを特徴とする請求項１に記載のカード類用保護袋。
【請求項３】
一対の側辺は、溶断されてなり、前記底辺は、超音波溶着された後に切断されてなる
ことを特徴とする請求項２に記載のカード類用保護袋。
【考案の詳細な説明】
【技術分野】
【０００１】
本考案は、キャラクタカード，トランプ，名札，伝票，証票，各種リーフレット等のカード類用保護袋に関する。さらに詳しくは、保護袋の四隅の外縁がカード類の円弧状の四隅の外縁に沿っており、且つ、保護袋内の四隅の内縁とカード類の円弧状の四隅の外縁とがフィットするカード類用保護袋に関する。
【背景技術】
【０００２】
この種のカード類用保護袋は、一般に、ポリ塩化ビニルフィルム等の透明な合成樹脂フィルムで矩形状に形成され、キャラクタカード，トランプ，名札，伝票，証票，各種リーフレット等のカード類に印刷されたキャラクタデザインや文字を透視可能な保護袋として利用されている。また、カード類用保護袋は、外面に粘着剤が塗布されて、ファイル等の見出し部分や、商品カタログ等の表紙裏の名刺入れポケットなどとしても用いられている。
【０００３】
ところで昨今、ポケットモンスタ−（登録商標）等の人気キャラクタが印刷され、四隅が円弧状のキャラクタカードを集めて、手持ちのカードの山札の一番上から順にカードを一枚提示して遊ぶ対戦型トレーディングカードゲームが盛んに行われるようになっている。
【０００４】
しかしながら、従来の保護袋では、四隅が直角のエッジを有しているため、使用時、特にシャッフルと呼ばれるカードを切る動作時において、その鋭いエッジによりプレイヤが手に痛みを感じたり、場合によってはけがをするという問題がある上、保護袋の形状がカードの形状にフィットせず、保護袋内でカードがずれるなど、カードそのものを使用しているような感覚が得られず扱いづらいという問題があった。
【０００５】
そこで、プレイヤは、個人的に保護袋の隅部をカード類の形状に合わせて、コーナーカッタなどで直角のエッジを円弧上に裁断し除去して対応しているが、カード類用保護袋の隅部を除去したことによって、保護袋内のカード類が外側に露出する場合には、カード類の隅部が傷つくだけでなく、手の油，汗がカード類に付着し、さらに保護袋内にゴミやホコリなどが入るなどしてカード類が汚れるなどの新たな問題もあり改善が望まれていた。
【０００６】
従来のカード類用保護袋として、特許文献１の技術が知られている。この保護袋Ｈは、図９に示すように、保護袋Ｈの底辺隅部の外縁１０１は円弧状に裁断されており、鋭いエッジが存在しないものの、底辺隅部の内縁１０２が角を有していることにより、保護袋Ｈ内において、保護袋Ｈ内の底辺隅部の内縁１０２とカード類の円弧状の外縁とがフィットしなかった。
【０００７】
また、保護袋Ｈは、底部シール部１０３及び側部シール部１０４が幅広に設けられていることにより、保護袋Ｈと収納するカード類とのサイズが大幅に異なってしまうため、保護袋Ｈをつけたままゲームを行うには不向きであった。
【先行技術文献】
【特許文献】
【０００８】
【特許文献１】特開２０１１−５６８３７号公報
【考案の概要】
【考案が解決しようとする課題】
【０００９】
本考案は上記事情に鑑み、保護袋の四隅の外縁がカード類の円弧状の四隅の外縁に沿っており、且つ、保護袋内の四隅の内縁とカード類の円弧状の四隅の外縁とがフィットするカード類用保護袋を提供することを目的とする
【課題を解決するための手段】
【００１０】
第１考案のカード類用保護袋は、同形同大の矩形状の２枚のフィルムがずれることなく重ね合わされ、一辺に開口部が形成されるように残りの３辺がシールされているカード類用保護袋であって、四隅が円弧状になっており、前記開口部と対峙する底辺側の２つの底辺隅部が形状に沿ってシールされていることを特徴とする。
第２考案のカード類用保護袋は、第１考案において、前記底辺隅部は、熱溶着された後に円弧状に切断されてなることを特徴とする。
第３考案のカード類用保護袋は、第２考案において、一対の側辺は、溶断されてなり、前記底辺は、超音波溶着された後に切断されてなることを特徴とする。
【考案の効果】
【００１１】
第１考案によれば、カード類用保護袋の四隅が丸く、底辺隅部が形状に沿ってシールされているため、カード類用保護袋とほぼ同形同大のカード類を収納する場合に、カードの丸い四隅がカード類用保護袋の丸い四隅とフィットするので、余分なシールしろが無く、カードゲームなどで遊ぶ際には、カードそのものに触れている感覚で楽しむことができる。
【００１２】
また、第１考案によれば、四隅が円弧状になっているため、従来品のように、四隅にある鋭利な角で手指などを傷めることがない。
【００１３】
また、第１考案によれば、従来、四隅が角張った市販のカード類用保護袋を、手作業により四隅を円弧状に裁断することはできたものの、シールされておらず、四隅の全てが開口となっていたところ、底辺隅部がシールされているため、使い続けることによって劣化しやすいカード類の隅を保護し、ゴミやホコリなどの侵入も防ぐことができる。
【００１４】
さらに、第１考案によれば、従来は、四隅が角を有する形状であり、一対の側辺が開口部の両端までシールされているため、開口部は、シールによって狭められ、開封し難かったところ、２つの開口部側の開口隅部がシールされていないので、幅方向両端まで開口でき、開口部が開封し易く、カード類を容易に出し入れすることができる。
【００１５】
第２考案によれば、従来は、直線状にフィルムを溶断することはできても円弧状にフィルムを溶断することは困難であり、四隅が円弧状で、しかも円弧状に沿ってシールされたカード類用保護袋は製造できなかったところ、底辺隅部を溶断するのではなく、熱溶着した後に円弧状に切断して底辺隅部を形成するようにしたので、前述のカード類用保護袋を製造することができる。
【００１６】
また、第２考案によれば、底辺隅部を形成する際に、２枚のフィルムを熱溶着により固化して一体化した箇所を円弧状に切断するので、２枚のフィルムがずれることなく切断し易いという利点があり、同時に、２枚のフィルムが一体化したものがトリミングロスとなるので、その飛散が半分に抑えられ、トリミングロスの回収負担が軽減される。
【００１７】
第３考案によれば、円弧状にフィルムを溶断すること自体でもさることながら、円弧状にフィルムを溶断する工程を高速な処理が求められる製造工程に組み込むことは困難であるところ、カード類用保護袋において、一対の側辺は、溶断されてなり、底辺は、超音波溶着された後に切断されてなるように構成したので、最後に１枚ごとに溶断して１枚ごとのカード類用保護袋を製造するまでは、底辺隅部を円弧状にシールして開口隅部とともに円弧状に切断する処理も含めて、２枚重ねの一連のシート状のフィルムに対して連続処理が可能となるため、カード類用保護袋を大量生産することができる。
【図面の簡単な説明】
【００１８】
【図１】カード類用保護袋Ａの構成を示す模式図である。
【図２】カード類用保護袋Ａの使用方法の説明図であって、（Ａ）カードを挿入する前の状態を示す図であり、（Ｂ）カードを挿入した後の状態を示す図である。
【図３】超音波溶着部の形成方法の説明図である。
【図４】七宝形状熱溶着部の形成方法の説明図である。
【図５】七宝形状切断部及び半七宝形状切断部の形成方法の説明図である。
【図６】超音波溶着部を切断分離する方法の説明図である。
【図７】溶断部の形成方法の説明図である。
【図８】カード類用保護袋Ａの製造方法の流れを示すフローチャートである。
【図９】従来の保護袋Ｈの模式図である。
【考案を実施するための形態】
【００１９】
つぎに、本考案の実施形態に係るカード類用保護袋の構成について図面に基づいて説明する。
【００２０】
本考案のカード類用保護袋Ａは、図１に示すように、重ね合わされた矩形の四隅が円弧状の２枚のフィルム１と、フィルム１の長手方向一対の辺がシールされてなる側辺２ａ，２ｂと、フィルム１の幅方向の一辺がシールされてなる底辺３と、底辺３と対峙する辺に設けられ、カード類を出し入れするための開口部４と、円弧状に形成され、その形状に沿ってシールされる底辺３側の２つの底辺隅部５ａ，５ｂと、円弧状に形成され、シールされない２つの開口部４側の開口隅部６ａ，６ｂとで構成されており、図２に示すように、内部にカード類が収納されて使用される。
【００２１】
フィルム１は、例えば、ポリプロピレンなどの透明性を有する合成樹脂フィルムからなる。なお、フィルム１は、ポリエチレンなどのその他の合成樹脂フィルムとしても良く、ポリプロピレンに限定されない。
【００２２】
側辺２ａ，２ｂは、溶断されることにより形成されている。側辺２ａ，２ｂのシール幅は、側辺に余分なシールしろが形成されないように幅狭に設けられており、カード類用保護袋Ａとほぼ同形同大のカード類を収納する場合に、カード類用保護袋Ａの幅方向の内寸が収納するカード類の短手方向の幅とほぼ同寸法となり、カード類がカード類用保護袋Ａ内の幅方向においてフィットする。
【００２３】
底辺３は、超音波溶着された後に切断されることにより形成されている。底辺３のシール幅は、側辺２ａ，２ｂと同様に、余分なシールしろが形成されないように幅狭に設けられており、カード類用保護袋Ａとほぼ同形同大のカード類を収納する場合に、開口部４はシールされていないことから、カード類用保護袋Ａの長手方向の内寸が収納するカード類の長手方向の長さとほぼ同寸法となり、カード類がカード類用保護袋Ａ内の長手方向においてフィットする。
【００２４】
開口部４は、２枚のフィルム１の一辺がシールされておらず、カード類をこの開口を介して出し入れ可能に形成されている。
【００２５】
底辺隅部５ａ，５ｂは、熱溶着され固化された後に、例えば、直径１〜４ｍｍφ、好ましくは、直径３ｍｍφの円弧状に切断されることにより形成されている。なお、底辺隅部５ａ，５ｂの直径は、収容するカード類の大きさにより適宜変更すれば良く、前記サイズに限定されない。
【００２６】
開口隅部６ａ，６ｂは、例えば、直径１〜４ｍｍφ、好ましくは、直径３ｍｍφの円弧状に切断されることにより形成され、開口部４が開封し易く、カード類を容易に出し入れできるように、シールがされていない。なお、開口隅部６ａ，６ｂの直径は、収容するカード類の大きさにより適宜変更すれば良く、前記サイズに限定されない。
【００２７】
底辺隅部５ａ，５ｂ及び開口隅部６ａ，６ｂが円弧状に切断され、さらに、側辺２ａ，２ｂ及び底辺３のシール幅は、余分なシールしろが形成されないように幅狭に設けられていることにより、カード類用保護袋Ａとほぼ同形同大のカードを収納する場合に、カード類がカード類用保護袋Ａ内側においてフィットし、カードゲームなどで遊ぶ際には、カードそのものに触れている感覚で楽しむことができる。
【００２８】
続いて、図３乃至図８に基づいて本考案に係るカード類用保護袋Ａの製造方法について説明する。
【００２９】
カード類用保護袋Ａの製造方法は、図３に示すように、重ね合わせた２枚の所定の幅を有する長尺なフィルム１１の、幅方向中央部の流れ方向に超音波溶着を施すことにより、超音波溶着部１２を形成するステップＳＴ１（図８の超音波溶着部形成工程）と、熱溶着により、超音波溶着部１２上に流れ方向に沿って所定の間隔で、図４に示す七宝紋の４つの円弧で囲まれた部位の形状（以下、七宝形状という。）であって、後述する七宝形状切断部１４が収まる大きさに溶着し、七宝形状熱溶着部１３を形成するステップＳＴ２（図８の七宝形状熱溶着部形成工程）と、七宝形状熱溶着部１３内に収まる大きさの七宝形状に切断して七宝形状切断部１４を形成すると同時に、フィルム１１の幅方向両端部を、七宝形状熱溶着部１３と同間隔で図５に示す七宝形状を縦半分に切った形状（以下、半七宝形状という。）に切断して半七宝形状切断部１５を形成するステップＳＴ３（図８の七宝形状切断部等形成工程）と、図６に示すように、超音波溶着部１２でフィルム１１を２列に切断分離するステップＳＴ４（図８の超音波溶着部切断分離工程）と、図７に示すように、七宝形状切断部１４と半七宝形状切断部１５の中心を幅方向に結ぶ溶断部１６で溶断し、１枚ずつの袋にするステップＳＴ５（図８の溶断工程）とで構成されている。
【００３０】
先ず、ステップＳＴ１では、連続送行にて繰り出し送行する長尺状の所定の幅を有する２枚重ねのフィルム１１（包装用の積層フィルム）の幅方向中央部の流れ方向に、例えばライン状の超音波溶着部１２を余分なシールしろができないように幅狭に形成する。なお、超音波溶着部１２は、ライン状に限らず、破線状としてもよく、前記形状に限定されない。また、フィルム１１は、予めフィルムが２枚積層された原反ロールを用いるか、又は、２つの原反ロールを設け、該原反ロールから繰り出しながらフィルムを積層するようにしてもよい。
【００３１】
ここで、図７に示すように、２枚重ねのフィルム１１のシールされない両端は、ステップＳＴ５の溶断工程を経て１枚ずつとなったカード類用保護袋Ａの開口部４に対応している。また、フィルム１１は、ステップＳＴ５の溶断工程を経て１枚ずつとなったカード類用保護袋Ａのフィルム１に対応している。
【００３２】
ステップＳＴ２では、熱溶着により、超音波溶着部１２上に流れ方向に沿って所定の間隔で、例えば、長さ８６ｍｍ〜９９ｍｍ、幅５９ｍｍ〜９２ｍｍの七宝形状熱溶着部１３を形成する。なお、七宝形状熱溶着部１３は、七宝形状切断部１４が収まる大きさであれば良く、前記大きさに限定されない。また、高速化のために、溶融温度を上げて熱溶着する場合、七宝形状熱溶着部１３が過加熱で溶けてしまわないように、熱溶着後に七宝形状熱溶着部１３を、例えば、クーリングロールなどで冷却する冷却工程を設けても良い。
【００３３】
ステップＳＴ３では、例えば、ロールの外周面の中央部の、七宝形状熱溶着部１３に対応する位置に、各円弧部分の直径１〜４ｍｍφ、好ましくは、直径３ｍｍφの七宝形状のカッタ刃と、ロールの軸方向両端部に、各円弧部分の直径１〜４ｍｍφ、好ましくは、直径３ｍｍφの半七宝形状のカッタ刃とを切断のピッチにあわせて少なくとも１箇所に突設して構成されているカッティングロールで、所望のピッチでフィルムを等間隔に切断し、七宝形状切断部１４及び半七宝形状切断部１５を形成して行く。切断後のトリミングロスは、吸引装置などで吸引除去する。
【００３４】
ここで、図７に示すように、七宝形状に切断した七宝形状切断部１４は、カード類用保護袋Ａの底辺隅部５ａ，５ｂに対応し、半七宝形状に切断した半七宝形状切断部１５は、カード類用保護袋Ａの開口隅部６ａ，６ｂに対応している。
【００３５】
ステップＳＴ４では、超音波溶着部１２が設けられた箇所において、例えば、スリット刃によって２列に切断する。なお、ステップＳＴ３の切断工程とステップＳＴ４の切断分離工程とを同時に行ってもよい。
【００３６】
ここで、図７に示すように、切断した超音波溶着部１２は、カード類用保護袋Ａの底辺３に対応している。
【００３７】
ステップＳＴ５では、七宝形状切断部１４と半七宝形状切断部１５の中心を幅方向に結ぶ溶断部１６で溶断し、１枚ずつの袋にする。
【００３８】
ここで、図７に示すように、幅方向に溶断した溶断箇所は、カード類用保護袋Ａの側辺２ａ，２ｂに対応している。
【００３９】
このように、従来は、直線状にフィルムを溶断することはできても円弧状にフィルムを溶断することは困難であり、四隅が円弧状で、しかも円弧状に沿ってシールされたカード類用保護袋Ａは製造できなかったところ、底辺隅部５ａ，５ｂを溶断するのではなく、熱溶着した後に円弧状に切断して底辺隅部５ａ，５ｂを形成するようにしたので、前述のカード類用保護袋Ａを製造することができる。
【００４０】
また、底辺隅部５ａ，５ｂを形成する際に、２枚のフィルム１１を熱溶着により固化して一体化した箇所を円弧状に切断するので、２枚のフィルム１１がずれることなく切断し易いという利点があり、同時に、２枚のフィルム１１が一体化したものがトリミングロスとなるので、その飛散が半分に抑えられ、トリミングロスの回収負担が軽減される。
【００４１】
さらに、円弧状にフィルム１１を溶断すること自体でもさることながら、円弧状にフィルム１１を溶断する工程を高速な処理が求められる製造工程に組み込むことは困難であるところ、カード類用保護袋Ａにおいて、一対の側辺２ａ，２ｂは、溶断されてなり、底辺３は、超音波溶着された後に切断されてなるように構成したので、最後に１枚ごとに溶断して１枚ごとのカード類用保護袋Ａを製造するまでは、底辺隅部５ａ，５ｂを円弧状にシールして開口隅部６ａ，６ｂとともに円弧状に切断する処理も含めて、２枚重ねの一連のシート状のフィルム１１に対して連続処理が可能となるため、カード類用保護袋Ａを大量生産することができる。
【００４２】
なお、本考案は前述した実施の形態のみに限定されるものではなく、本考案の要旨を逸脱しない範囲において種々の変更が可能であることは勿論である。
【符号の説明】
【００４３】
Ａ：カード類用保護袋
１：フィルム
２ａ，２ｂ：側辺
３：底辺
４：開口部
５ａ，５ｂ：底辺隅部
６ａ，６ｂ，６ａ’，６ｂ’：開口隅部
１１：フィルム
１２：超音波溶着部
１３：七宝形状熱溶着部
１４：七宝形状切断部
１５：半七宝形状切断部
１６：溶断部
Ｃ：カード類
Ｈ：保護袋
１０１：底辺隅部の外縁
１０２：底辺隅部の内縁
１０３：底部シール部
１０４：側部シール部
【図１】
0003193045.tif 000003
【図２】
0003193045.tif 000004
【図３】
0003193045.tif 000005
【図４】
0003193045.tif 000006
【図５】
0003193045.tif 000007
【図６】
0003193045.tif 000008
【図７】
0003193045.tif 000009
【図８】
0003193045.tif 000010
【図９】
0003193045.tif 000011